(57)【要約】      （修正有）【課題】内周バンドの有無や寸法変更によってクラウン部の開口縁の内寸が変化しても、着用者の頭部に適合した寸法にすることができる帽子を提供する。【解決手段】クラウン部１は、開口縁の内周に、周方向に廻る紐通路６を設け、紐通路に紐８を通し、輪にした紐でクラウン部の開口縁の内寸を縮小する構成にした。紐通路は、クラウン部の中心側の周面１１を、面ファスナが貼り付く付着面にし、付着面に、面ファスナ機能のある内周バンド１２を貼り付けた。内周バンドは、取り替え可能にした。内周バンドの有無や寸法変更によってクラウン部の開口縁の内寸が変化したときに、クラウン部の開口縁の内寸を紐の輪の周囲の長さ調整で着用者の頭部に適合した寸法にする内寸調整機構を設けた。【選択図】図４
0003148201.tif 000002
【実用新案登録請求の範囲】
【請求項１】
クラウン部は、開口縁の内周に、周方向に廻る紐通路を設け、紐通路に紐を通し、輪にした紐でクラウン部の開口縁の内寸を縮小する構成にし、
紐通路は、クラウン部の中心側の周面を、面ファスナが貼り付く付着面にし、付着面に、面ファスナ機能のある内周バンドを貼り付け、
内周バンドは、取り替え可能にし、
内周バンドの有無や寸法変更によってクラウン部の開口縁の内寸が変化したときに、クラウン部の開口縁の内寸を紐の輪の周囲の長さ調整で着用者の頭部に適合した寸法にする内寸調整機構を設けたことを特徴とする帽子。
【請求項２】
紐通路は、布で形成し、クラウン部の中心側の周面を、面ファスナが貼り付く布面にしたことを特徴とする請求項１に記載の帽子。
【考案の詳細な説明】
【技術分野】
【０００１】
本考案は、クラウン部の内周バンドを取り替え可能にした帽子に関する。
【背景技術】
【０００２】
帽子は、クラウン部又はクラウン部とつば部を有する。クラウン部は、開口縁の内周にバンド、内周バンドを周方向に取り付けている。帽子を着用すると、着用者の頭部の上部にクラウン部が被さり、頭部の横周りに内周バンドが鉢巻のように巻き付く。
【０００３】
クラウン部の内周バンドは、いくつかの機能を果す。内周バンドは、着用者の頭部が発汗するときに、頭部から出る汗がクラウン部やつば部に染み込むのを防ぐ。この機能を重視するときには、汗バンドとも言われる。また、帽子を着用するときに、内周バンドは、頭部に対して滑り、頭部にクラウン部が嵌まり込み易くする。この機能を重視するときには、滑りバンドとも言われる。更に、内周バンドは、クラウン部の開口縁の内寸を決める。着用者の頭部の適合サイズを定める。この機能を重視するときには、サイズバンドとも言われる。
【０００４】
特許文献１に開示された帽子では、クラウン部の内周バンドは、吸水性に優れた材料で汗吸取り帯に構成し、着用者の頭部の額に対面するクラウン部の前部に着脱自在に取り付けている。
【０００５】
【特許文献１】実開昭６３−７３３２０号公報
【考案の開示】
【考案が解決しようとする課題】
【０００６】
［課  題］
帽子において、クラウン部の内周バンドの汗バンドは、着用者の頭部の発汗が多いときには必要になり、発汗がほとんどないときには不要になる。汗バンドは、汚れたときには、取り外して洗濯したり、清潔なものに取り替えたりしたい。また、着用者が頭部の額、前面で多く発汗し、頭部の左右側面や後面でほとんど発汗しないときには、汗バンドは、クラウン部の前部のみに必要になる。頭部の前面のみならず、頭部の左右側面や後面でも多く発汗するときには、汗バンドは、クラウン部の前部のみならず、左右側部や後部にも必要になる。
【０００７】
クラウン部の内周バンドの滑りバンドは、着用者の頭部の上部表面が滑り難いときには必要になり、滑り易いときには不要になる。また、滑りバンドは、クラウン部の特定個所のみに必要になったり、クラウン部のほぼ全周に必要になったりする。
【０００８】
そこで、クラウン部の内周バンドは、クラウン部から取り外し可能にし、取り替え可能にすることが考えられる。内周バンドが取り替え可能であると、帽子は、内周バンドを付けた形態で着用されたり、内周バンドを付けない形態で着用されたりする。また、短い内周バンドを付けた形態で着用されたり、長い内周バンドを付けた形態で着用されたりする。薄い内周バンドを付けた形態で着用されたり、厚い内周バンドを付けた形態で着用されたりする。
【０００９】
ところが、帽子は、内周バンドの有無や内周バンドの長さや厚さの寸法で、クラウン部の開口縁の内寸が変化する。着用者の頭部の適合サイズが変化する。着用者は、内周バンドの有無や内周バンドの寸法で、帽子がきつくなったり、緩くなったりする。クラウン部の開口縁の内寸は、内周バンドの有無や内周バンドの寸法に応じて調整することが望まれる。
【００１０】
［課題を解決するための着想］
帽子は、クラウン部の開口縁の内寸を調整する機構を設けることにした。内寸調整機構は、クラウン部の開口縁の内周に、周方向に廻る紐通路を設け、紐通路に紐を通し、紐でクラウン部の開口縁の内寸を縮小する構成にする。紐は、輪にし、輪の周囲の長さを調整する。クラウン部の開口縁は、紐で着用者の頭部に適合した寸法にする。
【００１１】
また、クラウン部の開口縁内周を廻る紐通路は、クラウン部の中心側の周面を、面ファスナが貼り付く付着面にする。この付着面には、面ファスナ機能のあるテープを貼り付ける。このテープは、クラウン部の開口縁内周に周方向に沿って付着する。剥ぎ取り可能な内周バンドとする。
【００１２】
この内周バンドは、取り付けたり、取り付けなかったりする。また、内周バンドは、短いものにしてクラウン部の前部などの一部分のみに取り付けたり、長いものにしてクラウン部のほぼ全周に取り付けたりする。更に、内周バンドは、汗を吸収し易いものにしたり、汗を通過させ難いものにしたりする。又は、着用者の頭部に対して滑り易いものにする。即ち、内周バンドは、必要に応じ、有無、寸法、材質を選択する。
【００１３】
そして、内周バンドの有無や、内周バンドの寸法の変更によって、クラウン部の開口縁の内寸が変化したときには、内寸調整機構を用いてクラウン部の開口縁の内寸を調整する。着用者の頭部に適合した寸法にする。
【課題を解決するための手段】
【００１４】
１）クラウン部は、開口縁の内周に、周方向に廻る紐通路を設け、紐通路に紐を通し、輪にした紐でクラウン部の開口縁の内寸を縮小する構成にし、
紐通路は、クラウン部の中心側の周面を、面ファスナが貼り付く付着面にし、付着面に、面ファスナ機能のある内周バンドを貼り付け、
内周バンドは、取り替え可能にし、
内周バンドの有無や寸法変更によってクラウン部の開口縁の内寸が変化したときに、クラウン部の開口縁の内寸を紐の輪の周囲の長さ調整で着用者の頭部に適合した寸法にする内寸調整機構を設けたことを特徴とする帽子。
２）上記の帽子において、
紐通路は、布で形成し、クラウン部の中心側の周面を、面ファスナが貼り付く布面にしたことを特徴とする。
【考案の効果】
【００１５】
内周バンドは、有無や、寸法、材質を選択することができる。
内周バンドの有無や寸法変更によってクラウン部の開口縁の内寸が変化しても、内寸調整機構で着用者の頭部に適合した寸法にすることができる。
【考案を実施するための最良の形態】
【００１６】
実施形態の帽子は、図１〜図５に示すように、クラウン部１とつば部２を有する。つば部２は、円輪板形状にし、内周縁をクラウン部１の開口縁の外周に連結している。クラウン部１とつば部２は、織物の布で形成している。
【００１７】
クラウン部１は、開口縁の内周に、周方向に廻る紐通路６を設けている。紐通路６は、クラウン部１の開口縁の内周を一周し、クラウン部１の開口縁の後部に出入口７を設けている。紐通路６には、ゴム紐のような弾性紐８を通している。弾性紐８は、紐通路６を貫通し、両端を出入口７から外側に出している。
【００１８】
弾性紐８は、両端を結んで輪にする。輪にした弾性紐８で、クラウン部１の開口縁を絞り、クラウン部１の開口縁の内径、内寸を縮小する。出入口７付き紐通路６と弾性紐８で、クラウン部１の開口縁の内寸調整機構を構成している。
【００１９】
紐通路６は、クラウン部１の中心側の周面１１を、面ファスナが貼り付く付着面にしている。この紐通路６は、織物の布で形成し、クラウン部１の中心側の周面１１を布面にしている。布面１１は、面ファスナが貼り付く付着面にしている。この布面１１は、雌型の面ファスナと同様な機能を有し、雄型の面ファスナを貼り付けたり、剥ぎ取ったりすることができる。雌型の面ファスナは、引掛け片を輪状にしている。雄型の面ファスナは、引掛け片を鉤状にしている。
【００２０】
紐通路６のクラウン部１中心側の周面１１、付着面１１には、面ファスナ機能のある内周バンド１２を貼り付けている。内周バンド１２は、付着面１１から剥ぎ取り可能にし、取り替え可能にしている。
【００２１】
内周バンド１２は、織物の布のテープにし、布テープの片面を雄型の面ファスナにしている。この雄型の面ファスナの面を付着面１１に貼り付けている。図に示した内周バンド１２は、長さを紐通路６の周面１１の長さの半分弱にし、クラウン部１の開口縁の前部に貼り付けている。
【００２２】
紐通路６の構造は、図５に断面を拡大して示している。帯状の織物の布２１は、長手方向に沿う中心線付近で折り曲げている。帯状の布２１の幅方向の両側辺は、それぞれ、クラウン部１の開口縁の折返し辺２２、つば部２の内周縁の折り曲げ辺２３と糸２４、２５で縫い合わせて連結している。帯状の布２１は、細長い筒形状にし、紐通路６にしている。帯状の布２１の長手方向の両端は、向かい合わせ、その両端の間を紐通路の出入口７にしている。
【００２３】
この帽子においては、内周バンド１２は、必要としないときには、取り外す。帽子は、内周バンド１２のない形態で着用する。内周バンド１２は、必要とするときには、取り付ける。帽子は、内周バンド１２のある形態で着用する。また、内周バンド１２は、汗などで汚れたときには、洗濯や廃棄のため、取り外す。取り外した跡には、清潔な内周バンド１２を貼り付ける。また、内周バンド１２は、クラウン部１の前部のみならず、左右側部や後部にも必要とするときには、長いものと取り替える。更に、内周バンド１２は、必要に応じ、汗を吸収し易い材質のもの、汗を通過させ難い材質のもの、又は、着用者の頭部に対して滑り易い材質のものにする。
【００２４】
内周バンド１２の有無や内周バンド１２の寸法変更によって、クラウン部１の開口縁は、内寸が変化する。このときには、内寸調整機構６、７、８を用いて、クラウン部１の開口縁の内寸を、着用者の頭部に適合した寸法に調整する。
【００２５】
［変形例］
１）上記の実施形態において、紐通路６に通す紐８は、ゴム紐のような伸縮性の高い弾性紐８にしているが、布紐のような伸縮性の低い非弾性紐にする。
２）上記の実施形態において、紐８は、有端にしているが、無端にする。輪にする。
３）上記の実施形態において、紐通路６の構造は、図５に断面を示すが、その他の構造にする。
４）上記の実施形態において、帽子のつば部２は、クラウン部１の全周にあるが、クラウン部１の周囲の一部分のみにする。例えば、クラウン部１の前部のみにする。
５）上記の実施形態において、帽子は、つば部２を有するが、つば部２をなくする。
６）上記の実施形態において、クラウン部１、つば部２、紐通路６と内周バンド１２の材料は、織物にしているが、編物、不織布や皮革、合成樹脂シートなどにする。
【図面の簡単な説明】
【００２６】
【図１】本考案の実施形態における帽子の平面図。
【図２】図１のＡ−Ａ線断面図。
【図３】図１のＢ−Ｂ線断面図。
【図４】図１のＣ−Ｃ線断面図。
【図５】図４のＤ部分の拡大図。
【符号の説明】
【００２７】
１  帽子のクラウン部
２  帽子のつば部
６  紐通路
７  紐通路の出入口
８  ゴム紐、弾性紐、有端の弾性紐
６、７、８  内寸調整機構
１１  紐通路のクラウン部中心側の周面、面ファスナが貼り付く付着面、布面
１２  面ファスナ機能のある内周バンド
２１  帯状の織物の布、紐通路を形成する布
２２  クラウン部の開口縁の折返し辺
２３  つば部の内周縁の折り曲げ辺
２４、２５  縫い合わせ用の糸
【図１】
0003148201.tif 000003
【図２】
0003148201.tif 000004
【図３】
0003148201.tif 000005
【図４】
0003148201.tif 000006
【図５】
0003148201.tif 000007